(57)【特許請求の範囲】
【請求項１】
本管における取付管口の周囲に合成ゴム系の粘着材を主材とするシート状の止水部材を貼着する工程と、
前記止水部材に取付管口に対応する開口部を形成する工程と、
熱可塑性樹脂からなる更生管を枡側から取付管内に挿入し、更生管の閉止された先端部を前記止水部材の開口部に挿通させて本管内に及ばせる工程と、
この更生管を枡側から加熱及び加圧して取付管の内面に密着するまで拡径させる工程と、
拡径した更生管の先端近傍に本管内に突出する筒状の突出部を残して更生管の先端部を切除する工程と、
前記突出部を本管側から加熱しつつ押し拡げて本管の内面に沿うように賦形することにより更生管の先端部に鍔状のフランジを成形する工程を備え、
前記止水部材を介してフランジを本管に密着させることにより取付管口の周囲を止水することを特徴とする取付管口の止水方法。
【請求項２】
本管における取付管口の周囲に、合成ゴム系の粘着材を主材とするシート状の止水部材であってその略中央に予め取付管口に対応する開口部が形成されてなる止水部材を貼着する工程と、
熱可塑性樹脂からなる更生管を枡側から取付管内に挿入し、更生管の閉止された先端部を前記止水部材の開口部に挿通させて本管内に及ばせる工程と、
この更生管を枡側から加熱及び加圧して取付管の内面に密着するまで拡径させる工程と、
拡径した更生管の先端近傍に本管内に突出する筒状の突出部を残して更生管の先端部を切除する工程と、
前記突出部を本管側から加熱しつつ押し拡げて本管の内面に沿うように賦形することにより更生管の先端部に鍔状のフランジを成形する工程を備え、
前記止水部材を介してフランジを本管に密着させることにより取付管口の周囲を止水することを特徴とする取付管口の止水方法。
【請求項３】
熱可塑性樹脂からなる更生管を本管内に挿入し、この更生管を本管内で加熱および加圧することにより本管の内面に密着するまで拡径させて本管をライニングする工程と、
前記本管をライニングする更生管における取付管口の周囲に合成ゴム系の粘着材を主材とするシート状の止水部材を貼着する工程と、
前記本管をライニングする更生管および止水部材に取付管口に対応する開口部を形成する工程と、
熱可塑性樹脂からなる更生管を枡側から取付管内に挿入し、更生管の閉止された先端部を、前記本管側更生管および止水部材に形成した開口部に挿通させて本管内に及ばせる工程と、
取付管に挿入した更生管を枡側から加熱及び加圧して取付管の内面に密着するまで拡径させる工程と、
拡径した取付管側更生管の先端近傍に本管内に突出する筒状の突出部を残して取付管側更生管の先端部を切除する工程と、
前記突出部を本管側から加熱しつつ押し拡げて本管側更生管の内面に沿うように賦形することにより取付管側更生管の先端部に鍔状のフランジを成形する工程を備え、
前記止水部材を介してフランジを本管側更生管に密着させることにより取付管口の周囲を止水することを特徴とする取付管口の止水方法。
【請求項４】
熱可塑性樹脂からなる更生管を本管内に挿入し、この更生管を本管内で加熱および加圧することにより本管の内面に密着するまで拡径させて本管をライニングする工程と、
前記本管をライニングする更生管に取付管口に対応する開口部を形成する工程と、
前記本管をライニングする更生管における取付管口の周囲に、合成ゴム系の粘着材を主材とするシート状の止水部材であってその略中央に予め取付管口に対応する開口部が形成されてなる止水部材を貼着する工程と、
熱可塑性樹脂からなる更生管を枡側から取付管内に挿入し、更生管の閉止された先端部を、前記本管側更生管および止水部材に形成した開口部に挿通させて本管内に及ばせる工程と、
取付管に挿入した更生管を枡側から加熱及び加圧して取付管の内面に密着するまで拡径させる工程と、
拡径した取付管側更生管の先端近傍に本管内に突出する筒状の突出部を残して取付管側更生管の先端部を切除する工程と、
前記突出部を本管側から加熱しつつ押し拡げて本管側更生管の内面に沿うように賦形することにより取付管側更生管の先端部に鍔状のフランジを成形する工程を備え、
前記止水部材を介してフランジを本管側更生管に密着させることにより取付管口の周囲を止水することを特徴とする取付管口の止水方法。
【請求項５】
止水部材は、伸縮性を有する布状体、網状体または多孔質の薄板体を芯材とし、この芯材の片面または両面に合成ゴム系の粘着材からなる主材を略均一の厚さで付着させたものであることを特徴とする請求項１〜４記載の取付管口の止水方法。
【発明の詳細な説明】
【０００１】
【発明の属する技術分野】
本発明は、地中の埋設本管に接続された取付管の内面を熱可塑性樹脂からなる更生管によってライニングする更生作業において、特に取付管内から本管内に突出させた更生管の端部に鍔状のフランジを形成して、本管と取付管との接続箇所（取付管口）を止水する方法に関する。
【０００２】
【従来の技術】
地中には下水用等の管路が多々埋設されている。この管路は、一般に、マンホール間を連通する本管と、この本管に接続された複数本の取付管（枝管）とからなっている。取付管は、通常、地表付近に設けられた桝と本管とを通じるように設けられるが、本管やマンホールとは異なり、管径が小さく簡易的に構成されている。このため、その老朽化に伴って取付管の内面に破損や亀裂をを生じることが多い。また、施工当初は堅固に取り付けられていた本管と取付管との接続箇所が、地盤変動などの影響により弛んでしまうこともある。その接続箇所から雨水や湧き水などの土中水が流入すると、本管内の水量が許容水量を超えてしまうおそれがある。
【０００３】
このように老朽化した取付管については、従来より、取付管の内面を樹脂製の更生管によりライニングして管路を補強することが行われている。本出願人も、取付管に対する更生管のライニング方法として図９〜図１７に示すような技術を開発し、本出願に先立って特許出願している。以下にその概要を説明する。
【０００４】
このライニング方法は、少なくとも▲１▼更生管の挿入工程、▲２▼更生管の拡径工程、及び▲３▼更生管の先端部処理工程を備える。ただし図示の例では、▲１▼更生管の挿入工程に先立って、本管１の内面が同様の更生管３（３Ａ）によって予めライニングされ、さらにこの更生管３（３Ａ）における取付管２との接続箇所（取付管口１２）には、取付管２の内径に対応する略円形の開口部３０が形成されている。この項の説明では、この本管側更生管３（３Ａ）を本管１に一体化されたものとして説明する。
【０００５】
＜▲１▼更生管の挿入工程＞
図９は、更生管３の一例を示す。更生管３は、ポリ塩化ビニルや高密度ポリエチレン等の熱可塑性樹脂製からなり、その外面に軸方向に沿って延びる襞状部３１が形成されて、径方向に縮退されている。この更生管３は、所定の形状記憶温度（例えば８０℃）に加熱及び加圧されることによって円筒体状に形状回復する性能を有している。更生管３の先端部は引込栓３２によって絞り込まれるように閉止され、この引込栓３２にワイヤー３３が連結されている。更生管３を取付管２に挿入するに際しては、図１０に示すように、枡８１側の地表付近に設置した巻取り機８２から更生管３（３Ｂ）を取付管２内に繰り出す一方、引込栓３２に連結したワイヤー３３を、本管１及びマンホール８３を通じてウィンチ８４で引張する。なお、符号８５及び８６はワイヤー３３の軌道を変える滑車であり、本管１の内底面に設置されている。
【０００６】
＜▲２▼更生管の拡径工程＞
更生管３の挿入作業によって、図１１に示すように、引込栓３２を伴う更生管３（３Ｂ）の先端部が本管１内にまで達する。続いて、図１２に示すように、更生管３（３Ｂ）内に水蒸気ガスを吹き込んで更生管３（３Ｂ）を加熱膨張させる。加熱膨張に際しては、図１３に示すように、更生管３（３Ｂ）の繰り出し端を切断し、この切断部にソケット８７を気密状態で設ける。このソケット８７には、地上に設置した蒸気発生加熱機８８からの給気ホース８９及び排気ホース９０を接続する。そして、給気ホース８９から高温・高圧の水蒸気を吹き込むと、更生管３（３Ｂ）は水蒸気の圧力によって膨張し、図１４（ａ）〜（ｃ）に示すように襞状部３１を縮小させながら拡径して、図１２に示したように取付管２の内面に密着する。なお、排気ホース８９は、過剰の水蒸気を管外に排出するためのものである。
【０００７】
＜▲３▼更生管の先端部処理工程＞
次いで、図１５に示すように、本管１内に突出した更生管３（３Ｂ）の先端部を、本管１内に搬入した切断機９１によって切除し、更生管３（３Ｂ）の切断端を本管１内に開口させる。このとき、更生管３（３Ｂ）の切断端を本管１内に若干突出させて、本管１内に更生管３（３Ｂ）の突出部３４を残すようにする。そして、図１６に示すように、突出部３４の切断端を本管１内に搬入した加熱成形装置９２により下方から押し拡げて、図１７に示すような鍔状のフランジ３５を成形する。こうして成形されたフランジ３５が本管１の内面に沿って取付管口１２の周囲を被覆することにより、本管１と取付管２との接続箇所においても良好な止水性を得ることができる。
【０００８】
【発明が解決しようとする課題】
前記従来のライニング方法によれば、取付管２内に挿入した更生管３（３Ｂ）を加熱及び加圧して取付管２内で膨張・拡径させることにより、取付管２の内面を迅速かつ経済的に更生することができる。
【０００９】
しかしながら、前記▲３▼更生管の先端部処理工程においては、本管１内に突出させた取付管側更生管３（３Ｂ）の突出部３４を押し拡げてフランジ３５を成形するに際し、本管１（または本管側更生管３Ａ）の内面の状態や加熱成形装置９２の動作精度等の要因で、フランジ３５と本管１（または本管側更生管３Ａ）との十分な密着が図れない場合がある。そこで本発明は、取付管２から本管１内に突出させた更生管３（３Ｂ）の突出部３４を押し拡げてフランジ３５を成形するに際し、フランジ３５と本管１（または本管側更生管３Ａ）とを万全に密着させることができ、かつ施工性にも優れた取付管口の止水方法を提供することを目的としている。
【００１０】
【課題を解決するための手段】
前記課題を解決するため、本発明の請求項１にかかる取付管口の止水方法は、本管における取付管口の周囲に合成ゴム系の粘着材を主材とするシート状の止水部材を貼着する工程と、前記止水部材に取付管口に対応する開口部を形成する工程と、熱可塑性樹脂からなる更生管を枡側から取付管内に挿入し、更生管の閉止された先端部を前記止水部材の開口部に挿通させて本管内に及ばせる工程と、この更生管を枡側から加熱及び加圧して取付管の内面に密着するまで拡径させる工程と、拡径した更生管の先端近傍に本管内に突出する筒状の突出部を残して更生管の先端部を切除する工程と、前記突出部を本管側から加熱しつつ押し拡げて本管の内面に沿うように賦形することにより更生管の先端部に鍔状のフランジを成形する工程を備え、前記止水部材を介してフランジを本管に密着させることにより取付管口の周囲を止水することを特徴とする。
【００１１】
また、本発明の請求項２にかかる取付管口の止水方法は、本管における取付管口の周囲に、合成ゴム系の粘着材を主材とするシート状の止水部材であってその略中央に予め取付管口に対応する開口部が形成されてなる止水部材を貼着する工程と、熱可塑性樹脂からなる更生管を枡側から取付管内に挿入し、更生管の閉止された先端部を前記止水部材の開口部に挿通させて本管内に及ばせる工程と、この更生管を枡側から加熱及び加圧して取付管の内面に密着するまで拡径させる工程と、拡径した更生管の先端近傍に本管内に突出する筒状の突出部を残して更生管の先端部を切除する工程と、前記突出部を本管側から加熱しつつ押し拡げて本管の内面に沿うように賦形することにより更生管の先端部に鍔状のフランジを成形する工程を備え、前記止水部材を介してフランジを本管に密着させることにより取付管口の周囲を止水することを特徴とする取付管口の止水方法。
【００１２】
これらの発明によれば、取付管内に挿入される更生管の先端部に鍔状のフランジが形成され、このフランジが粘着性の止水部材を介して本管の内面に密着することとなるので、取付管口の周囲が万全に止水される。
【００１３】
また、取付管だけでなく本管の内面もライニング更生する場合、本発明の取付管口の止水方法は、請求項３または４のように構成される。
【００１４】
すなわち、請求項３にかかる取付管口の止水方法は、熱可塑性樹脂からなる更生管を本管内に挿入し、この更生管を本管内で加熱および加圧することにより本管の内面に密着するまで拡径させて本管をライニングする工程と、前記本管をライニングする更生管における取付管口の周囲に合成ゴム系の粘着材を主材とするシート状の止水部材を貼着する工程と、前記本管をライニングする更生管および止水部材に取付管口に対応する開口部を形成する工程と、熱可塑性樹脂からなる更生管を枡側から取付管内に挿入し、更生管の閉止された先端部を、前記本管側更生管および止水部材に形成した開口部に挿通させて本管内に及ばせる工程と、取付管に挿入した更生管を枡側から加熱及び加圧して取付管の内面に密着するまで拡径させる工程と、拡径した取付管側更生管の先端近傍に本管内に突出する筒状の突出部を残して取付管側更生管の先端部を切除する工程と、前記突出部を本管側から加熱しつつ押し拡げて本管側更生管の内面に沿うように賦形することにより取付管側更生管の先端部に鍔状のフランジを成形する工程を備え、前記止水部材を介してフランジを本管側更生管に密着させることにより取付管口の周囲を止水することを特徴とする。
【００１５】
また、請求項４にかかる取付管口の止水方法は、熱可塑性樹脂からなる更生管を本管内に挿入し、この更生管を本管内で加熱および加圧することにより本管の内面に密着するまで拡径させて本管をライニングする工程と、前記本管をライニングする更生管に取付管口に対応する開口部を形成する工程と、前記本管をライニングする更生管における取付管口の周囲に、合成ゴム系の粘着材を主材とするシート状の止水部材であってその略中央に予め取付管口に対応する開口部が形成されてなる止水部材を貼着する工程と、熱可塑性樹脂からなる更生管を枡側から取付管内に挿入し、更生管の閉止された先端部を、前記本管側更生管および止水部材に形成した開口部に挿通させて本管内に及ばせる工程と、取付管に挿入した更生管を枡側から加熱及び加圧して取付管の内面に密着するまで拡径させる工程と、拡径した取付管側更生管の先端近傍に本管内に突出する筒状の突出部を残して取付管側更生管の先端部を切除する工程と、前記突出部を本管側から加熱しつつ押し拡げて本管側更生管の内面に沿うように賦形することにより取付管側更生管の先端部に鍔状のフランジを成形する工程を備え、前記止水部材を介してフランジを本管側更生管に密着させることにより取付管口の周囲を止水することを特徴とする。
【００１６】
これらの発明も、取付管側更生管の先端部に鍔状のフランジを形成し、止水部材を介してこのフランジを本管側更生管の内面に密着させることにより、取付管口の周囲を万全に止水するものである。ただし、請求項３にかかる発明と請求項４にかかる発明とでは、止水部材に取付管口に対応する開口部を形成する手順が異なっている。
【００１７】
請求項３にかかる発明では、本管側更生管の内面に止水部材を貼着した後、この止水部材および本管側更生管を貫通するようにして、取付管口に連通する開口部を形成する。この手順では、止水部材を本管側更生管に貼着するに際して、止水部材の位置決め精度があまり求められないので、止水部材の貼着作業が容易である。
【００１８】
一方、請求項４にかかる発明では、本管側更生管に取付管口に対応する開口部を形成した後、同様の開口部を予め形成した止水部材を本管側更生管に貼着する。この手順では、止水部材を本管側更生管に貼着するに際して、止水部材の開口部と本管側更生管の開口部とを一致させる必要があるため、止水部材の位置決めに高い精度が求められる。しかし、本管側更生管に開口部を形成する際に発生する更生管の切屑が粘着性の止水部材に付着するのを防ぐことができるので、本管側更生管にフランジを密着させたときの密着性が良好になる。
【００１９】
なお、本発明における止水部材としては、伸縮性を有する布状体、網状体または多孔質の薄板体を芯材とし、この芯材の片面または両面に合成ゴム系の粘着材からなる主材を略均一の厚さで付着させたものが好ましい。伸縮性を有する布状体や網状体とは、例えば合成繊維からなる網、織布、不織布、ウェブ等であり、伸縮性を有する多孔質の薄板体とは、例えば合成樹脂製の孔開きシートやフィルム等である。また、合成ゴム系の粘着剤としては、耐蝕性、展延性、接着性等に優れるものが好ましく、例えばブチルゴム、ポリイソブチレン、スチレン・ブタジエンゴム、ポリクロロプレン（ネオプレン）ゴム、ニトリルゴムなどの合成ゴムを粘度の高い溶液状にしたものがよい。これらの合成ゴムは、溶液状にするとそれ自体での形状保持力が低下して、自重で垂れ落ちたりたるんだりしてしまう。そこで、平板的な形状を保持するために、芯材となる布状体や薄板体に合成ゴムを付着させて使用する。この芯材に適度な伸縮性を与えておくことにより、止水部材を管壁に押圧したときによく密着する。合成ゴムを芯材に付着させるにあたっては、芯材の片面でもよいし、両面でもよい。芯材が繊維質又は多孔質であれば、止水部材が更生管等によって圧迫されたときに、粘着剤が芯材の隙間から滲出して芯材の両面に展延するからである。このような止水部材を使用することにより、取付管側更生管の先端部に形成するフランジを、本管または本管側更生管によく密着させることができる。
【００２０】
【発明の実施の形態】
以下、本発明の実施の形態について説明する。
【００２１】
＜止水部材＞
まず、本発明に使用される止水部材について、図１〜図２を参照しつつ説明する。図１に示した止水部材４は、ＰＥＴ（ポリエチレンテレフタレート）繊維からなる不織布を芯材４１とし、この芯材４１の両面にブチルゴムからなる粘着剤４２を主材として付着させたものである。粘着剤４２の付着厚さは片面２〜５ｍｍ程度が実用的であるが、この厚さは止水箇所の状況に応じて多少増減することができる。例示の止水部材４では、止水部材を搬入して貼着するための貼着装置に止水部材を離着しやすくするため、芯材４１の四隅近傍に薄い鉄片４３を取り付け、これらの鉄片４３を粘着剤４２によって被覆するとともに、貼着装置側に設けた電磁石でこれらの鉄片を離着自在に保持できるようにしている。
【００２２】
なお、芯材４１には、ＰＥＴ繊維以外の繊維質素材を利用することもできる。それらの形態は、適当な伸縮性を備えるものであれば、網状体や織布、ウェブ等であってもよい。また、伸縮性を有する多孔質の薄板体、例えばポリエチレンやポリプロピレンその他の合成樹脂製シートやフィルム等に多数の孔を開けたものなどを利用することもできる。
【００２３】
合成ゴム系の粘着剤４２には、ブチルゴム以外にも、ポリイソブチレン、スチレン・ブタジエンゴム、ポリクロロプレン（ネオプレン）ゴム、ニトリルゴムなどの合成ゴムを粘度の高い溶液状にしたものを利用することができる。これらの合成ゴムは耐蝕性、展延性、接着性等に優れるが、溶液状にするとそれ自体での形状保持力が低下して自重で垂れ落ちたりたるんだりしてしまうので、合成ゴムを芯材４１に付着させてシート状の形状を保持しやすくしている。
【００２４】
図２に示した止水部材４は、全体の形状を前記のような矩形ではなく円形状にして、その略中央に取付管口１２に対応する大きさの開口部４４を予め形成したものである。芯材４１および粘着材４２については前記図１の止水部材４について説明したものと同様である。
【００２５】
＜止水部材の貼着装置＞
前記した止水部材は、例えば図３〜図４に示すような貼着装置５を介して管内に搬入され、管壁の所定位置に押圧されて貼着される。以下、この貼着装置５について説明する。
【００２６】
例示の貼着装置５は、止水部材４を保持するための押圧板５１が、本管１内を移動しうる台車５２上に設けられた昇降支持手段および角度調節手段を介して、台車５２に対し昇降自在に、かつ、その昇降方向を本管１の内周方向に沿って傾倒させうるように保持されたものである。
【００２７】
台車５２は、底部が本管１の内面に沿うように形成されている。底部の四隅近傍には、本管１の内面上を滑りやすい樹脂または金属等の素材からなる略半球状の脚部５３が取り付けられている。この台車５２は、ワイヤ等による牽引誘導で、あるいは適宜の自走手段を介して、本管１の所定場所（この例では取付管２の接続口周辺）まで移動する。
【００２８】
台車５２の前後には一対の支持部材５４が相対して立設されている。前後の支持部材５４の上部には、前後の軸心を一致させるようにして軸部材５５および軸受部材５６が取り付けられており、これらによって台車５２の進行方向と平行な回転軸が形成されている。この回転軸には、基台部５７が吊持状態で取り付けられている。基台部５７は、前後の軸部材５５にそれぞれ相対して取り付けられた揺動材５８と、前後の揺動材５８を連結する左右一対の連結ロッド５９により形成され、前記回転軸を中心にして進行方向に対し左右に傾倒しうるように保持されている。また、台車５２の前後いずれかの一端には、基台部５７の傾倒角を変化させるためのモータ６０が取り付けられ、このモータ６０の駆動軸が一方の軸部材５５に結合されている。このモータ６０は、本管１の外部から人為的に制御される。これら前後の支持部材５４と、基台部５７およびモータ６０によって、角度調節手段が構成されている。
【００２９】
基台部５７の前後には、パンタグラフ式のレジートング６１がそれぞれ取り付けられている。レジートング６１は、電車のパンタグラフや伸縮式のマジックハンド等に従来から利用されている機構で、菱形状に交叉してヒンジ連結された複数本のリンクアーム６２を有し、対をなす基端部６３の間隔を拡縮するとリンクアーム６２の交叉角が変化して全体の長さが伸縮する。この貼着装置５に用いられるレジートング６１は、伸長方向を上向きにして、基台部５７の前後にそれぞれ左右で対をなすように設けられている。各基端部６３は、基台部５７の幅方向に細長い基端連結部材６４を介して左右一体に連結されている。各基端連結部材６４は、左右一対の連結ロッド挿通孔６５を有し、これらの連結ロッド挿通孔６５に基台部５７を形成する左右の連結ロッド５９がそれぞれ挿通されいる。
【００３０】
さらに、基端連結部材６４の幅方向中央部には雌ネジ孔６７が形成されて、この雌ネジ孔６７には、基台部５７の幅方向中央に設けられたガイドボルト６８が螺合している。ガイドボルト６８は、基台部５７を形成する前後の揺動材５８間に配置されて、ギヤ６９，７０を介し、基台部５７のほぼ中央に載置されたモータ７１の駆動力を受けて回転するようになっている。また、ガイドボルト６８の両端近傍には。基端連結部材６４に形成された雌ネジに対応する雄ネジがそれぞれ形成されている。これら雌ネジおよび雄ネジは、対をなす基端部６３についてそれぞれ左ネジ７２および右ネジ７３になっている。そのため、ガイドボルとが回転すると、これに螺合した基端連結部材６４は、各レジートング６１の基端部６３の間隔を拡縮するようにして互いに反対方向に移動する。これらレジートング６１、基端連結部材６４、ガイドボルト６８およびモータ７１によって、昇降支持手段が形成されている。
【００３１】
レジートング６１の上端部には、左右のレジートング６１を覆うように形成されたカバー部材７４が取り付けられている。カバー部材７４の側面には、台車５２の進行方向に対し左右斜め上方に向かって突き出した押圧板支持アーム７５が取り付けられている。押圧板支持アーム７５の両端は、カバー部材７４の側面および押圧板５１の裏面四隅近傍にそれぞれヒンジ連結されている。
【００３２】
押圧板５１は、適度な湾曲弾性を有する金属板または樹脂板により形成され、表面側を凸とするように湾曲された状態で、前記押圧板支持アーム７５に保持されている。押圧板５１は、通常時における湾曲半径が本管１の内法半径よりも小さくなるように賦形されている。押圧板５１の表面には、止水部材４を構成する合成ゴム系の粘着材４２を離着自在に保持しうるような離型処理が施されている。
【００３３】
前記昇降支持手段が作動してカバー部材７４が上昇すると、カバー部材７４は、押圧板支持アーム７５を介して押圧板５１を本管１の内面に押し付ける。すると、押圧板５１は、まずその中央近傍から本管１の内面に当接する。カバー部材７４がさらに上昇すると、本管１内面からの反力を受けた押圧板支持アーム７５が互いの角度を水平に近づけるように回動して、押圧板５１の曲率半径を拡大する。これにより押圧板５１は、中央近傍から両側縁にかけて徐々に本管１の内面に押し当てられることとなる。また、昇降支持手段が反対方向に作動してカバー部材７４が下降するときには、押圧板５１は自身の弾性により曲率管径を縮小させながら、中央近傍にかけて徐々に本管１から離脱する。このような押圧板５１の昇降動作によって、粘着性のあるシート状の止水部材４を、本管１との間に気泡が残らないようにして精度良く本管１に貼着することができる。
【００３４】
押圧板５１の中央近傍には丸い窓孔７６が形成されている。この窓孔７６に臨む押圧板５１の裏面側（この例ではモータの上部）には、位置決め用のカメラ７７が取り付けられている。止水部材４に形成された丸孔４３と押圧板５１に形成された窓孔７６を通じ、このカメラ７７で本管１の上部内面を監視することにより、押圧板５１が取付管２の接続口の直下に位置するように、台車５２の位置や押圧板５１の昇降方向を調節することができる。
【００３５】
さらにこの止水部材４の貼着装置５には、押圧板５１を本管１の内面に押圧する際に台車５２を固定する姿勢固定手段が設けられている。この姿勢拘束手段は、本管１に接続された取付管２が本管１の直上ではなく斜め上方に開口している場合、押圧板５１を本管１に対して斜め上方に押圧する際の反力によって台車５２が本管１内で傾斜しようとするのを防止するために設けられている。
【００３６】
姿勢拘束手段は、台車５２の前後に立設された伸縮部材７８により形成されている。伸縮部材７８は、例えば空気圧、ガス圧、油圧等の流体圧により伸縮するシリンダピストン機構を利用したもので、台車５２の前後各部において２本ずつの伸縮部材７８が左右に対をなすように設けられている。伸縮部材７８のシリンダ部分７９は台車５２に不動状態で固定され、ピストンロッド部８０がシリンダ部分７９から上下方向に出没するようになっている。ピストンロッド部８０の上端には、左右で対をなすピストンロッド部８０を一体に連結するようにして、突当部材８１が取り付けられている。突当部材８１の表面は、本管１の内面との間に適度な摩擦力を発揮するように形成されている。前記した位置決め用のカメラ７７を介して台車５２が所定位置に位置決めされた後、外部からの人為的操作によって伸縮部材７８を伸長させ、突当部材８１を本管１の内面に突き当てる。すると、台車５２が本管１内に突っ張り状態で固定され、本管１の斜め上方に止水部材４を貼り付ける作業を精度良く行うことが可能になる。
【００３７】
＜取付管口の止水作業＞
次いで、本管１には更生管３（３Ａ）によるライニングを施さない場合と、本管１にも更生管３（３Ａ）によるライニングを施す場合のそれぞれについて、取付管口の止水作業の工程を説明する。図５〜図６は本管１にライニングを施さない場合の工程の一部を示し、図７〜図８は本管１にライニングを施す場合の工程の一部を示す。
【００３８】
本管１にライニングを施さない場合は、止水部材４を取付管口１２に貼着してから開口部４５を形成する方法（図５）と、予め開口部４４を形成した止水部材４を取付管口１２に貼着する方法（図６）のうち、いずれかを選択して実施することができる。
【００３９】
止水部材４を取付管口１２に貼着してから開口部４５を形成する方法では、まず図５（ａ）に示すように、貼着装置５を介して図１に示したような止水部材４を本管１内に搬入し、取付管口１２を塞ぐようにして貼着する。次いで図５（ｂ）に示すように、本管１内に削孔装置９３を搬入し、この削孔装置９３によって取付管口１２に対応する開口部４５を止水部材４に形成する。
【００４０】
他方、予め開口部４４を形成した止水部材４を取付管口１２に貼着する方法では、貼着装置５を介して図２に示したような止水部材４を本管１内に搬入し、止水部材４の開口部４４を取付管口１２に一致させるようにして、取付管口１２の周囲に貼着する。
【００４１】
なお、前記いずれの場合も、本管１の内面に水や泥が付着していると止水部材４の密着性が悪くなる場合があるので、その対策として、止水部材４の表面に予め水硬化性樹脂からなる接着剤を塗布しておくのが好ましい。これにより、止水部材４を本管１の管壁に十分に密着させることができる。
【００４２】
前記いずれかの工程によって、取付管口１２の周囲に止水部材４が貼着されたならば、前記図１０〜図１７に示したように取付管２に更生管３（３Ｂ）を挿入して取付管２内で拡径し、さらにその先端部を切除してフランジ３５を形成する。かかる工程の詳細は、前記従来の技術において説明した▲１▼更生管の挿入工程、▲２▼更生管の拡径工程、及び▲３▼更生管の先端部処理工程と同じである。
【００４３】
また、本管１にライニングを施す場合は、止水部材４を本管側更生管３（３Ａ）に貼着してから開口部３０，４５を形成する方法（図７）と、本管側更生管３（３Ａ）に開口部３０を形成した後、予め開口部４４を形成した止水部材４を本管側更生管３（３Ａ）に貼着する方法（図８）のうち、いずれかを選択して実施することができる。いずれの場合も、本管１のライニング更生に用いられる更生管３（３Ａ）は、図９〜図１４に示した取付管用の更生管３（３Ｂ）と同じ性状のもので、前記従来の技術において説明した▲１▼更生管の挿入工程および▲２▼更生管の拡径工程と同様の工程によって本管１内にライニングされる。
【００４４】
そして、止水部材４を本管側更生管３（３Ａ）に貼着してから開口部３０，４５を形成する方法では、図７（ａ）に示すように、貼着装置５を介して図１に示したような止水部材４を本管１内に搬入し、本管側更生管３（３Ａ）における取付管口１２を臨む位置に貼着する。次いで図７（ｂ）に示すように、本管側更生管３（３Ａ）内に削孔装置９３を搬入し、止水部材４および本管側更生管３（３Ａ）を貫通するようにして、取付管口１２に連通する開口部３０，４５を形成する。
【００４５】
他方、予め開口部４４を形成した止水部材４を本管側更生管３（３Ａ）に貼着する方法では、まず図８（ａ）に示すように、本管側更生管３（３Ａ）内に削孔装置９３を搬入し、この削孔装置９３によって取付管口１２に対応する開口部３０を本管側更生管３（３Ａ）に形成する。次いで、図８（ｂ）に示すように、貼着装置５を介して図２に示したような止水部材４を本管側更生管３（３Ａ）内に搬入し、止水部材４の開口部４４を本管側更生管３（３Ａ）に形成した開口部３０に一致させるようにして、取付管口１２の周囲に貼着する。
【００４６】
こうして、前記いずれかの工程により取付管口１２の周囲に止水部材４が貼着されたならば、本管１にライニングを施さない場合と同様に、取付管２に更生管３（３Ｂ）を挿入して取付管２内で拡径し、さらにその先端部を切除してフランジ３５を形成する。かかる工程の詳細も、前記従来の技術において説明した▲１▼更生管の挿入工程、▲２▼更生管の拡径工程、及び▲３▼更生管の先端部処理工程と同じである。
【００４７】
【発明の効果】
上述のように、本発明の取付管口の止水方法によれば、取付管側更生管の先端に形成される鍔状のフランジが、粘着性の止水部材を介して本管または本管をライニングする本管側更生管の内面に密着することとなるので、取付管口の周囲を万全に止水することができる。
【図面の簡単な説明】
【図１】本発明の実施に際して使用される止水部材の一例を示す斜視図である。
【図２】同じく、止水部材の他の例を示す斜視図である。
【図３】本発明の実施に際して使用される止水部材の貼着装置の一例を示す、管軸方向の断面略図である。
【図４】同じく、止水部材の貼着装置の一例を示す、幅方向の断面略図であり、（ａ）は押圧板が上昇した状態、（ｂ）は押圧板が下降した状態をそれぞれ示す図である。
【図５】本発明の実施の形態を示す工程説明図であり、本管にライニングを施さない場合であって、止水部材を取付管口に貼着してから開口部を形成する工程を示す図である。
【図６】本発明の実施の形態を示す工程説明図であり、本管にライニングを施さない場合であって、予め開口部を形成した止水部材を取付管口に貼着する工程を示す図である。
【図７】本発明の実施の形態を示す工程説明図であり、本管にライニングを施す場合であって、止水部材を取付管口に貼着してから開口部を形成する工程を示す図である。
【図８】本発明の実施の形態を示す工程説明図であり、本管にライニングを施す場合であって、予め開口部を形成した止水部材を取付管口に貼着する工程を示す図である。
【図９】本発明の実施に際して使用される更生管の構成例を示す部分斜視図である。
【図１０】図９の更生管を取付管内に挿入する工程の概要を示す地中管路の縦断面図である。
【図１１】更生管を取付管内に挿入した状態を示す取付管口近傍の部分縦断面図である。
【図１２】拡径した更生管を取付管の内面に密着させた状態を示す取付管口近傍の部分縦断面図である。
【図１３】更生管を取付管内で拡径する工程の概要を示す地中管路の縦断面図である。
【図１４】更生管の拡径状態を（ａ）から（ｃ）の順に示す断面図である。
【図１５】拡径した更生管の先端部を切断機によって切断する工程を示す取付管口近傍のの部分縦断面図である。
【図１６】更生管の先端部にフランジを成形するに際して、更生管の突出部に加熱成形装置を押し当てる状態を示す取付管口近傍の部分縦断面図である。
【図１７】更生管の先端部に形成したフランジの状態を示す取付管口近傍の部分縦断面図である。
【符号の説明】
１      本管
１２    取付管口
２      取付管
３（３Ａ）  更生管（本管側更生管）
３（３Ｂ）  更生管（取付管側更生管）
３０    本管側更生管の開口部
３４    突出部
３５    フランジ
４      止水部材
４１    芯材
４２    粘着材
４４    止水部材の開口部
４５    止水部材の開口部
８１    枡
【図１】
0003746972.tif 000002
【図２】
0003746972.tif 000003
【図３】
0003746972.tif 000004
【図４】
0003746972.tif 000005
【図５】
0003746972.tif 000006
【図６】
0003746972.tif 000007
【図７】
0003746972.tif 000008
【図８】
0003746972.tif 000009
【図９】
0003746972.tif 000010
【図１０】
0003746972.tif 000011
【図１１】
0003746972.tif 000012
【図１２】
0003746972.tif 000013
【図１３】
0003746972.tif 000014
【図１４】
0003746972.tif 000015
【図１５】
0003746972.tif 000016
【図１６】
0003746972.tif 000017
【図１７】
0003746972.tif 000018